(57)【特許請求の範囲】
【請求項１】
少なくとも２つの脚部（２）と、互いに対してテレスコピックにスライドすることが可能な、各脚部のための少なくとも２つの部材（５，６，７）と、ロック手段（１２）とを有し、
ロック手段（１２）は、ロック状態と釈放状態との間で切り換えられることが可能であり、各脚部（２）の諸部材の間におけるスライドが少なくとも１つの方向において防止されるか、または、それぞれには制限されない、光学または写真装置等用のテレスコピックスタンドにおいて、
ロック手段は、それぞれ付属部材（２４ｂ）を有し、各付属部材（２４ｂ）は、他の脚部（２）から突出した対応する付属部材（２４ｂ）に向かって、それぞれの脚部（２）から突出しており、釈放状態にロック手段を切り換えるために、脚部（２）が互いに向き合って押圧されると、各付属部材（２４ｂ）は少なくとも１つの他の付属部材（２４ｂ）により押圧されることを特徴とするテレスコピックスタンド。
【請求項２】
付属部材（２４ｂ）は、それぞれの脚部（２）からロック手段のロック状態に向かって弾性的に付勢される請求項１記載のテレスコピックスタンド。
【請求項３】
ロック手段は、開口部（１８）を有するカラー状部材（１３）と、前記開口内を径方向に移動することができるパッド（１９）と、パッド（１９）を対応するテレスコピック部材（５，６，７）と拘束接触するように押圧するためのレバー制御デバイス（２０）とを有する請求項１または２記載のテレスコピックスタンド。
【請求項４】
レバー制御デバイス（２０）は、パッド（１９）に付与される拘束負荷を調節するための手段（２６）を有し、
拘束負荷を調節するための手段（２６）は、制御デバイスのレバー（２４）とパッド（１９）の間に介装されたシリンダー状部材（２３）を有している請求項２または３記載のテレスコピックスタンド。
【請求項５】
シリンダー状部材（２３）は、パッド（１９）に長手方向に形成されているトラック（２１）内において収容されている請求項４記載のテレスコピックスタンド。
【請求項６】
拘束手段（１１）は、各脚部（２）を、少なくとも２つの部材が脚の収納位置にテレスコピックに入り込むと拘束するよう構成されている請求項の１〜５のいずれか１項に記載のテレスコピックスタンド。
【請求項７】
各脚のテレスコピック部材の間に、最も外側の部材と最も内側の部材がそれぞれ形成され、拘束手段は、最も外側の部材に固定され、各部材が収納位置に入り込むとき最も内側の部材（７）の内側壁に摩擦力で作用する拘束プラグ（１１）を有する請求項６記載のテレスコピックスタンド。
【発明の詳細な説明】
【０００１】
技術分野
この発明の主題は独立請求項記載の前文による光学または写真装置等のテレスコピックスタンドである。
技術的背景
これらのスタンドにおいては、最初と最後の位置決め作業、すなわち、複数の脚部を迅速且つ同時に延出するとともに、逆に、延出位置から完全な収納位置に急速に復帰させることが可能なように作業を都合よく行う必要がある。
【０００２】
この目的のために、３つの脚部のロックシステムを、同時に制御されることが可能な制御を備えることが知られている。この技術の１例が、US特許第4,666,112号に記載されている。この文献は、各三脚が互いに対してテレスコープ状にスライドすることができる２つの部材だけを提供しており、中心のピラーに関連して単一のスリーブ制御部材によって同時に作動され、スプレッダーの三つのアームによって複数の脚部に接続された三つのロック手段を備える。このデバイスの欠点は、スプレッダーによって脚部の特定の、予め決められた相対位置が強制され、三脚使用時の融通性を制限することである。それはまた、各脚部についてたった１つのテレスコピックな延出部を制御する。
【０００３】
特別な三脚の脚部の２つまたはそれよりも多数の延出部を同時に制御することはUS特許5,887,835号からも知られている。
【０００４】
しかしながら、この技術的解決は、複雑な操作によって、すべてのロックデバイスを複数の客部に同時に作用させることによってのみ三つの脚部を同時に制御することができる。
発明の説明
この発明の底流をなす技術上の問題点は、言及した従来技術に関して論じられたあらゆる欠点を克服するために、三脚の形態をなして典型的に作られ、構造的、機能的に設計されたテレスコピックスタンドを提供することである。
【０００５】
この問題点は、付属する特許請求の範囲によって形成されるテレスコピックスタンドによるこの発明によって解決される。
【０００６】
この発明の特徴と利点は、添付図面を参照しつつ与えられる非限定的な例示を介して、好ましいがそれのみには限定されないその具体例の詳細な説明から一層明らかにされよう。
発明の好ましい具体例
添付図面において、この発明によって形成されるテレスコピック三脚スタンド(今後これを簡単に「三脚」という)が、符号１で一般的に示されている。スタンドが備えている脚部の数それ自体は無関係である点を理解すべきである。なんとなれば、２またはもっと多数の脚部を備えている類似のスタンドは、以下において与えられる教示を利用していつでも製造することができるからである。
【０００７】
三脚１は、スパイダー４に関節接合され、すべてが符号２で表わされた三つの同一の脚部を有している。各脚部は、三つの部材５、６、７を備えており、部材６は、符号５で示される部材で示される部材中を、部材７は符号６で示される部材中をスライドすることができる。部材７もやはりその自由端部にフェルール(ferrule)８を備えている。前記の部材はすべてが、角部に大きい角度の丸みが付与されたほぼ三角形の断面を備える筒状を呈している。
【０００８】
部材５は、脚部をスパイダー４にピボット可能に接続するために１つの関節部材１０に接するカップ９内にその一方の端部を固定した一様な断面を有している。カップ９は、その内部にプラグ１１を装着しており、プラグ１１の機能に付いては以下において説明する。
【０００９】
カップ９から離間した端部において、部材５は、カラー状部材１３を含む１つのロックデバイス１２を装着しており、前記部材１３は、内部に部材５が収容され、肩部１５と接するとともに、ねじ１６によってクランプされるシート１４を取り巻いて延出する。案内部分１７は、シート１４と同軸に肩部１５を越えて延出しており、部材６が軸方向にスライドすることが可能なように径方向の僅かなクリアランスとともに部材６を収容するような断面を有している。
【００１０】
この案内部分１７は、内部に拘束パッド１９が装着されて、レバー制御部材２０によって部材６に対面するように付勢される作業位置に向かって、またはこの作業位置から、移動することができる１つの開口部１８を有している。このパッド１９は、その断面が、部材６の２つの対応する円形のコーナー部と接触することができる２つの反対側に位置する対向面１９ａ、１９ｂを備えるように造形されている。前記対向面には、対向するランプ２２によって長手方向に規定される１つのトラック２１が存在する。このトラック２１は、パッドを、レバー制御部材２０のための調節可能な支点の機能を有するシリンダー状部材２３に対して拘束するように機能する。制御部材２０は、ピン２４ａによってカラー状部材１３に関節回動されるとともに、パッド１９を作動的な拘束位置へと押すためにばね２５によってのみ作動されるレバー２４を含む。各レバー２４は、他の３つの脚部から延出する、対応する対向して反対側に位置する付属部材に向かって該当する脚部から延出する１つの作動付属部材２４ｂを有する。
【００１１】
シリンダー状部材２３の位置は、ステーボルト２７を含む１つの調節デバイス２６によって、パッドの抑制効果を変化させるためにピン２４ａに対して調節することが可能である。前記ステーボルト２７は、ロケーター２８を締め付けて、ロケーター２８とロケーターと向き合うレバーの端部の間に規定されるとともに、内部にシリンダー状部材２３が収容される傾斜した両側面を備える溝２９の幅を変更することができる。もしも、溝２９が圧縮されるならば、シリンダー状部材２３は、レバーによって調節可能な範囲まで延出する傾向を生じ、それによって、ばね２５によって働く負荷が対応して変化する。
【００１２】
パッド１９と、シリンダー状部材２３とトラック２１のランプ２２の間の協働の結果として生じるレバー制御部材２０との間のカップリングが以下のような態様である点に注目すべきである。すなわち、脚部を軸方向に圧縮しようとする負荷を付与することは、パッドを拘束する負荷を増大させるが、脚部にせん断負荷を付与することは、拘束負荷を減少させるので、脚部を、レバー制御デバイスを作動させることなく手動で延出することが常に可能であり、この場合脚部は反対側の向きには、ロックされる。
【００１３】
同様なロックデバイス１２´が、脚部材６の対応端部にフィットされており部材７の延出を調節すり。デバイス１２と１２´は同じものなので、デバイス１２について行われた説明は、まさにデバイス１２´についても当て嵌まる。対応する細部は、同一の参照符号によって示されている。各部材６、７は、その端部に、対向カップ９が形成されており、これは、部材がそれを囲んで配置されたロックデバイスから偶発的に滑り出すことを防ぐために肩部１５と協働することができる外側段部３１を規定する拡張部分３０を備えている。拡張部分３０もまた、問題にしている部材６、７の正確な案内を維持するように機能する。
【００１４】
最後に、脚部が完全に収納位置にあるときは、プラグ１１が部材７の内側壁と向き合う僅かな摩擦力と協働することによって、三脚を取り扱う間に脚部が意に反して延出される事を防止して、収納位置が維持されることを保証する点に注目すべきである。
【００１５】
実際面においては、３つのレバー２４の作動付属部材の自由端部の間の接触状態のみによって許容される最小距離だけ脚部間が開いている図１の三脚の最小開放位置から出発して脚部を延出しようとする場合、三脚は次のように作動する。
【００１６】
もしも、三脚が両手で握ることによって互いに圧迫されると、レバー２４は互いに押されて図１のロック位置から図３の釈放位置に移動する。パッド１９はこうして対応する脚部の表面から離れて、拘束効果を実質的にキャンセルする。脚部は、それにもかかわらず、部材７とプラグ１１の間の摩擦に起因してまだ収納位置に残ったままである。
【００１７】
しかしながら、もしも僅かな引っ張り力が働いて、三脚の急激な下降移動によって慣性力が利用されるならば、これら２つの部材６、７は滑り出し、かくて、脚部がこうしてテレスコピックに延出される。これまで見てきたように、このパッド拘束システムは、脚部の外側方向への調節を許容するが、レバー２４が意図して押圧されない限り、反対方向への移動を許容しない。
【００１８】
使用後に三脚を閉じるためには、レバー２４を一緒にもう一度押圧して脚部を圧迫するだけで充分であり、その結果パッド１９が釈放される。脚部は、今や、単に地面と接触するだけで収納位置に復帰される。
【００１９】
この発明は、こうして提案された目的を達成し多くの利点、中でも特に、相当な構造上の簡素さ、脚部の可能な位置を制限するスプレッだーその他の手段が存在しないことによって提供される改良された適合性、および、非常に軽量であるという利点を提供する。
【図面の簡単な説明】
【図１】  半開放位置にあるこの発明の写真撮影用三脚の斜視図。
【図２】  閉じた位置における図１の三脚の斜視図。
【図３】  既出図における三脚の１つの脚部の長手方向断面図。
【図４】  図３のIV-IV断面図。
【図５】  図３の拡大細部。
【図１】
0004833493.tif 000002
【図２】
0004833493.tif 000003
【図３】
0004833493.tif 000004
【図４】
0004833493.tif 000005
【図５】
0004833493.tif 000006